(57)【要約】  【課題】  針板を別体又は一体に保持する針板保持板を、ミシンベッドの先端部上面に容易に着脱し得る簡素な構成の取り付け構造を実現する。  【解決手段】  針板４を保持する針板保持板２の下面に位置決めピン22，22を打設し、ミシンベッド１の上面に設けたピン受け孔12，12に嵌め込み、針板保持板２をミシンベッド１の上面内にて位置決めする。一方、ミシンベッド１の先端部を開閉可能に蓋板３を設け、この蓋板３の内面に係合片33を取り付け、蓋板３が閉止されたとき、係合片33が針板保持板２に設けた係合凹部23に係合して、針板保持板２の上下方向の移動を拘束する構成とする。【選択図】        図１
2005279095.tif 000002
【特許請求の範囲】
【請求項１】
針板を別体又は一体に保持する針板保持板を、ミシンベッドの先端部上面に着脱自在に取り付けてあるミシンにおいて、
前記針板保持板の下面と前記ミシンベッドの上面との間にて相互に係合し、前記針板保持板を前記ミシンベッドの上面内にて位置決めする位置決め手段と、
前記ミシンベッドの先端面を開閉自在に覆う蓋板に設けてあり、該蓋板の閉止により前記針板保持板の一部に係合して、該針板保持板を上下方向の移動不可に拘束する係合手段と
を備えることを特徴とするミシン。
【請求項２】
前記位置決め手段は、前記針板保持板の下面又はミシンベッドの上面に打設された位置決めピンと、前記ミシンベッドの上面又は針板保持板の下面に、前記位置決めピンの嵌め込みが可能に設けられたピン受け孔とを備える請求項１記載のミシン。
【請求項３】
前記係合手段は、上下方向の弾性を有する板ばねである請求項１又は請求項２記載のミシン。
【発明の詳細な説明】
【技術分野】
【０００１】
本発明は、針落ち孔を備える針板を、該針板と別体又は一体をなす針板保持板を介してミシンベッドの先端部上面に取り付けてあるミシンに関し、更に詳しくは、前記針板保持板を着脱自在に取り付けるための取り付け構造に関する。
【背景技術】
【０００２】
ミシンにおけるミシンベッドの先端部には、上部に対向するミシンアームの先端部から垂下された押え金との間に縫製生地を挾持し、また、前記ミシンアームから垂下されて上下動する針をミシンベッドの内部に挿通させる針落ち孔が形成された針板が取り付けられている。一方、針板の取り付け位置であるミシンベッドの先端部には、針板上の縫製生地に前後方向の送りを加えるための送り機構、針の上下動に同期して針板下にて左右方向に進退動作するルーパの駆動機構等、縫製生地に縫目を構成するために必要な多くの機構が内蔵されている。
【０００３】
そこで、前記針板は、ミシンベッドの先端部上面を広範囲に亘って覆う針板保持板を介して取り付け、該針板保持板を針板と共に取り外すことによりミシンベッドの上面を広範囲に亘って開放可能として、前記内蔵機器の点検、清掃及び調整を容易に行わせ得るようにしている。なお針板は、前記針落ち孔、縫製生地に送りを加えるための送り歯を出没させるための送り歯孔等、高精度の加工部を有する部品であり、前記針板保持板は、複数機種間での針板の共用を可能とするために必要な部品であるが、小径の筒形ベッドを備える一部のミシンにおいては、針板保持板と針板とを一体化し、これらをミシンベッドの先端部に取り付けるようにしてある。
【０００４】
以上の如き針板保持板の取り付けは、一般的に、ミシンベッドの上面へのねじ止めによりなされている（例えば、特許文献１参照）。一方、縫い形態の変更に対応すべく、針板保持板上での針板の着脱を容易に行わせるようにしたミシンもある（例えば、特許文献２参照）。
【特許文献１】実公平７−５２７０３号公報
【特許文献２】実公平７−５２７０４号公報
【発明の開示】
【発明が解決しようとする課題】
【０００５】
ところが、特許文献１に開示された一般的な針板保持板の取り付け構造においては、内蔵機構の点検、清掃及び調整のために行われる針板保持板の着脱の都度、止めねじの緩め操作及び締め付け操作が必要であり、使い勝手が悪いという問題がある。
【０００６】
一方、特許文献２に開示されたミシンにおいては、ミシンベッドの内部に軸着した針板固定レバーを水平面内にて回動操作し、針板に設けられた挿入部に対して出没させることにより針板を容易に着脱し得る構成となっており、このような着脱構造を針板保持板の取り付け構造として採用することは可能であるが、専用の可動部品である針板固定レバーが必要であり、部品点数が多くなる上、前述した筒形ベッドを備えるミシン等、ミシンベッドの内部空間が狭い多くのミシンにおいては、針板固定レバーの取り付け位置及び回動スペースを確保することが難しいという問題がある。
【０００７】
本発明は斯かる事情に鑑みてなされたものであり、針板を別体又は一体に保持する針板保持板を、ミシンベッドの先端部上面に容易に着脱し得る簡素な構成の取り付け構造を実現し、ミシンベッドの内蔵機構の点検、清掃及び調整が容易であり、良好な使い勝手が得られるミシンを提供することを目的とする。
【課題を解決するための手段】
【０００８】
本発明の第１発明に係るミシンは、針板を別体又は一体に保持する針板保持板を、ミシンベッドの先端部上面に着脱自在に取り付けてあるミシンにおいて、前記針板保持板の下面と前記ミシンベッドの上面との間にて相互に係合し、前記針板保持板を前記ミシンベッドの上面内にて位置決めする位置決め手段と、前記ミシンベッドの先端面を開閉自在に覆う蓋板に設けてあり、該蓋板の閉止により前記針板保持板の一部に係合して、該針板保持板を上下方向の移動不可に拘束する係合手段とを備えることを特徴とする。
【０００９】
本発明においては、針板保持板をミシンベッドの先端部上面に載置し、位置決め手段により面内にて位置決めしておき、ミシンベッドの先端面を開閉する蓋板を閉止して、この蓋板に設けた係合手段を針板保持板の一部に係合させ、上下方向への移動不可に拘束して針板保持板の取り付けを行う。針板保持板の取り外しは、蓋板を開放して係合手段による針板保持板の拘束を解除した後、針板保持板を上方に持ち上げて行う。前記蓋板は、ミシンベッドの先端面を開放し、針板保持板の取り外しにより開放されるミシンベッド上面と連続する大面積の開口を設けるためのものであり、内蔵機構の点検、清掃及び調整の容易化を図ることができる。
【００１０】
また本発明の第２発明に係るミシンは、第１発明における位置決め手段が、前記針板保持板の下面又はミシンベッドの上面に打設された位置決めピンと、前記ミシンベッドの上面又は針板保持板の下面に、前記位置決めピンの嵌め込みが可能に設けられたピン受け孔とを備えることを特徴とする。
【００１１】
この発明においては、ミシンベッドの上面における針板保持板の位置決め作用をなす位置決め手段を、両者の合わせ面の一方に打設された位置決めピンと、他方に設けられたピン受け孔とにより簡素に構成し、該ピン受け孔への位置決めピンの嵌め込みにより、ミシンベッドの上面内での高精度の位置決めを行わせる。
【００１２】
また本発明の第３発明に係るミシンは、第１発明又は第２発明における係合手段が、上下方向の弾性を有する板ばねであることを特徴とする。
【００１３】
この発明においては、蓋板に設けた係合手段を板ばねとし、蓋板の閉止時における針板保持板の一部への係合を上下方向の弾性変形を伴って確実に行わせ、係合手段と係合部位との間にて係合を実現するために必要となる加工及び組み立て精度を緩和する。
【発明の効果】
【００１４】
本発明の第１発明に係るミシンにおいては、針板を保持する針板保持板をミシンベッドの上面内にて位置決めしておき、ミシンベッドの先端面を開閉する蓋板を閉止し、該蓋板に設けた係合手段を針板保持板の一部に係合させて針板保持板を取り付けたから、専用の部品を用いることなく針板保持板の着脱を容易に行わせることができ、ミシンベッドの内蔵機構の点検、清掃及び調整が容易となり、使い勝手の向上を図ることができる。
【００１５】
また第２発明及び第３発明に係るミシンにおいては、針板保持板のミシンベッドの上面内での位置決め、及び上下方向の拘束を簡易な構成にて確実に実現することができる等、本発明は優れた効果を奏する。
【発明を実施するための最良の形態】
【００１６】
以下本発明をその実施の形態を示す図面に基づいて詳述する。図１及び図２は、本発明に係るミシンのミシンベッド先端近傍の斜視図であり、図１は、針板保持板が取り外された状態を、図２は、針板保持板が取り付けられた状態を夫々示している。
【００１７】
図中１は、ミシンベッドである。本図に示すミシンベッド１は、各種衣料品の胴部、袖部等、筒状をなす縫製物の縫製を可能とすべく、該縫製物の挿通が可能な筒形の形状をなす筒形ベッドとして構成されている。図１に示す如く、ミシンベッド１の先端部の上面には、内側の空洞部内に連通する矩形の開口部10が略全幅に亘って開設されており、図２に示す如く、前記開口部10を上側から閉止するように針板保持板２が取り付けられている。なお、ミシンベッド１の内側空洞部内には、送り機構及びルーパ機構等の内蔵機構が配されているが、図１及び図２においては、これらの内蔵機構の図示を省略してある。
【００１８】
開口部10の幅方向両側を縁取る側縁11，11には、所定の径を有するピン受け孔12，12が夫々形成されている。この開口部10は、ミシンベッド１の先端面にまで延設され、エンドプレート13により封止された先端開口に連続させてあり、該エンドプレート13には、ミシンベッド１の上面と平行をなす枢軸30により下縁を枢支し、該枢軸30回りの回動による開閉操作可能に蓋板３が取り付けてある。
【００１９】
蓋板３の上部は、略直角に屈曲成形され、図２に示す閉止状態にあるとき、ミシンベッド１の上面に沿って基端に向けて延びるた屈曲部31が連設されており、蓋板３は、前記屈曲部31の外面に設けた凹部32に指を掛け、手前に引くことにより枢軸30回りに回動せしめることが可能であり、このような蓋板３の回動により、図１に示す如く、エンドプレート13により封止されたミシンベッド１の先端開口の一部が上面の開口部10と連続して開放されるようになしてある。
【００２０】
図１に一部を破断して示す如く蓋板３の内面には、上縁近傍の幅方向の略中央部に係合片33が取り付けられている。この係合片33は、Ｌ字形に屈曲成形された板ばねであり、蓋板３の内面に一辺を沿わせてねじ止めすることにより、他辺が蓋板３上部の屈曲部と同向きに下方への傾斜を有して突出し、上下方向に弾性を有するように固定されている。
【００２１】
針板保持板２は、幅方向両側の支持縁20，20を、両者間に架設された受け板21により連絡して構成されており、受け板21の一側上部にねじ止め固定された針板４を、支持縁20，20の上面と略面一に連続するように保持している。このような針板保持板２は、図２に示す如く、両側の支持縁20，20を前記開口部10の両側縁11，11上に夫々載置し、針板４の上面がミシンベッド１の上面とが面一をなすように取り付けられている。
【００２２】
図１に示す如く、針板保持板２の支持縁20，20の下面には、これらが夫々載置される前記側縁11，11に形成されたピン受け孔12，12への嵌め込みが可能な直径を有する位置決めピン22，22が打設してあり、図１中に２点鎖線により示す如くミシンベッド１上に載置される針板保持板２は、前記ピン受け孔12，12への前記位置決めピン22，22の嵌め込みにより、ミシンベッド１の上面内において、左右及び前後への移動不可に位置決めされるようになしてある。
【００２３】
また針板保持板２の受け板21の他側の上面には、幅方向の略中央部に下向きに凹設された係合凹部23が設けてある。この係合凹部23は、図１中に２点鎖線により示す如くミシンベッド１上に針板保持板２が載置されたとき、エンドプレート13により閉止されたミシンベッド１の先端開口の近傍に位置し、該エンドプレート13上に開閉自在に取り付けられた蓋板３が図２に示す如く閉止されたとき、該蓋板３内面の係合片33と係合し、針板保持板２を上下方向への移動不可に拘束する作用をなす。
【００２４】
図３は、蓋板３の係合片33と針板保持板２の係合凹部23との係合状態の説明図であり、図３（ａ）には、蓋板３が閉止された状態が、図３（ｂ）には、蓋板３が開放された状態が夫々示されている。なおこれらの図においても、ミシンベッド１の内蔵機器の図示は省略してある。
【００２５】
蓋板３の内面に取り付けられた係合片33は、該蓋板３が閉止された状態にあるとき、図３（ａ）に示す如く、ミシンベッド１上に載置された針板保持板２の係合凹部23の上面に当接する。ここで係合片33は、前述の如く上下方向に弾性を有する板ばねであり、係合凹部23への当接は、係合片33の弾性変形を伴って生じさせることができる。これにより針板保持板２は、図中に白抜矢符にて示す如く、係合凹部23に作用する係合片33の弾性復元力により下向きに押圧され、ミシンベッド１の上面を構成する開口部10の側縁11，11に押し付けられることとなり、針板保持板２の上下方向の移動を確実に拘束することができ、該針板保持板２及び針板４は、前記位置決めピン22，22及びピン受け孔12，12の嵌合によるミシンベッド１の上面内での移動拘束との相乗作用により、全ての方向に移動不可に固定される。
【００２６】
一方、図３（ｂ）に示す如く蓋板３が開放された場合、該蓋板３内面の係合片33が、針板保持板２に設けられた係合凹部23から外れ、針板保持板２の上下の拘束が解除される。これにより針板保持板２及び針板４は、図中に白抜矢符にて示す如く上方への引き上げが可能となり、この引き上げにより前記位置決めピン22，22及びピン受け孔12，12の嵌合を外した後は、針板保持板２の適宜の方向への取り外しが可能である。
【００２７】
また図３（ｂ）中に矢符により示す如く、蓋板３を閉止すべく回動操作した場合．該蓋板３の内面に取り付けられた係合片33の屈曲端が係合凹部23上に乗り上げ、図３（ａ）に示す針板保持板２の固定状態が得られる。このとき、係合片33が板ばねであることから、係合凹部23への乗り上げが係合片33の弾性変形を伴って確実になされ、該係合片33と係合凹部23との係合による針板保持板２の上下方向の拘束は強固に実現される。
【００２８】
このように本発明に係るミシンにおいては、ミシンベッド１上に固定された針板保持板２を、ミシンベッド１先端の蓋板３を開放し、次いで、針板保持板２を上方に引き上げる簡易な手順により取り外すことができ、また逆に、針板保持板２をミシンベッド１上に載置し、該ミシンベッド１先端の蓋板３を閉止する簡易な手順により固定することができ、送り機構、ルーパ駆動機構等、ミシンベッド１の先端部に内蔵された機構の点検、清掃及び調整を容易に行わせることができる。また前記蓋板３の開放により、ミシンベッド１の先端部には、図１に示す如く、上面の開口部10に連続する開口が形成されるから、前記点検、清掃及び調整が一層容易となる。
【００２９】
なお、前述した針板保持板２の取り外しの過程において、針板保持板２の上方への引き上げに際し、針板４の上方に位置する図示しない押え金及び針と干渉する虞れがあり、実際の取り外しは、押え金及び針と干渉しない範囲にて針板保持板２を引き上げ、位置決めピン22，22及びピン受け孔12，12の嵌合を外した後、例えば、ミシンベッド１の先端側に引き出す手順により行われる。押え金及び針との干渉への配慮は、針板保持板２の取り付けの際にも同様に必要である。
【００３０】
図４は、本発明に係るミシンの他の実施の形態を示すミシンベッド先端近傍の斜視図である。この実施の形態においては、ミシンベッド１上面の開口部10の両側縁11，11に設けられたピン受け孔12，12が、ミシンベッド１の先端に向けて延設され、エンドプレート13の端面に開口する長孔としてある。他の部分の構成は、図１に示す実際の形態と同様であり、対応する構成部材に図１と同一の参照符号を付して説明を省略する。
【００３１】
図４に示すミシンにおいては、針板保持板２をミシンベッド１の先端部に位置決めし、図中に矢符にて示す如く、支持縁20，20の下面に打設された位置決めピン22，22を、エンドプレート13側の開口からピン受け孔12，12に嵌め込み、開口部10の両側縁11，11に沿ってスライドさせることにより所定位置に位置決めし、この後の蓋板３の閉止により固定することが可能となる。また、針板保持板２の取り外しは、蓋板３を開放した後、開口部10の両側縁11，11に沿って針板保持板２を先端側にスライドさせる手順により実現することができ、針板保持板２の着脱に際し、前述した押え金及び針との干渉に対する配慮が不要となる。
【図面の簡単な説明】
【００３２】
【図１】本発明に係るミシンのミシンベッド先端近傍の斜視図である。
【図２】本発明に係るミシンのミシンベッド先端近傍の斜視図である。
【図３】蓋板の係合片と針板保持板の係合凹部との係合状態の説明図である。
【図４】本発明に係るミシンの他の実施の形態を示すミシンベッド先端近傍の斜視図である。
【符号の説明】
【００３３】
１    ミシンベッド
２    針板保持板
３    蓋板
４    針板
12    ピン受け孔
22    位置決めピン
23    係合凹部
33    係合片
【図１】
2005279095.tif 000003
【図２】
2005279095.tif 000004
【図３】
2005279095.tif 000005
【図４】
2005279095.tif 000006